(57)【要約】      （修正有）【課題】インテリジェント機能付き蓄発電システムまたは太陽電池蓄発電一体パネルを複数個着脱自在に組み込んだカセットからなる移動式組立型電源、それを用いた各種電力発電機との蓄発電一体装置ステーションおよび信号機無停電電源システムを提供する。【解決手段】充放電制御システムユニットと、リチウムイオン二次電池単独またはリチウムイオン二次電池とキャパシタコンデンサーや電気二重層コンデンサ、ニッケル水素電池や鉛蓄電池やアルカリ蓄電池などの汎用蓄電池との併用に拠って構成されている蓄電池ユニットと、小型軽量型ＡＣ−ＤＣコンバータ・小型軽量型ＤＣ−ＤＣコンバータ補助充電制御システムを一体化することによって蓄電・補助充電並びに各種機能別放電の制御システムを全部或いは一部搭載したインテリジェント機能付き蓄発電システムまたは太陽電池蓄発電一体パネルを着脱自在に組み込んだカセットからなる。【選択図】図１
0003195999.tif 000002
【実用新案登録請求の範囲】
【請求項１】
リチウムイオン二次電池単独またはリチウムイオン二次電池とキャパシタコンデンサーや電気二重層コンデンサ、ニッケル水素蓄電池や鉛蓄電池などの汎用蓄電池などとの併用に拠る蓄電池ユニット（１）、充放電コントローラー、定電流ダイオード（ＣＲＤ＝Ｃｕｒｒｅｎｔ  Ｒｅｇｕｌａｔｉｖｅ  Ｄｉｏｄｅ）、露点変換器（ＤＰＳ＝Ｄｕｅ  Ｐｏｉｎｔ  Ｓｅｎｓｏｒ）、端子レギュレータ、フロート式流量計、パルス幅変調機（ＰＷＭ＝Ｐｕｌｓｅ  Ｗｉｄｔｈ  Ｍｏｄｕｌａｔｉｏｎ制御型出力コントローラー）、過充電過放電保護回路、内部温度上昇に拠るシステム破壊防止用温度ヒューズ、サーミスタおよび逆流防止ダイオードを搭載した充放電制御システムユニット（２）およびＤＣ−ＡＣ（Ｄｉｒｅｃｔ  ｃｕｒｒｅｎｔ−Ａｌｔｅｒｎａｔｅ  ｃｕｒｒｅｎｔ）インバータシステムからなる補助充放電制御システムユニット（３）を一体化した、充放電、蓄電および補助充放電の制御システム機能を併せ有するインテリジェント機能付き蓄発電システムまたは太陽電池蓄発電一体パネルを複数個着脱自在に組み込んだカセットからなる移動式組立型電源。
【請求項２】
さらに、人感センサー、照度センサー、振動センサー、温度湿度センサーおよびＬＥＤ照明システムから選ばれる少なくとも一種を搭載している、請求項１記載のインテリジェント機能付き蓄発電システムまたは太陽電池蓄発電一体パネルを複数個着脱自在に組み込んだカセットからなる移動式組立型電源。
【請求項３】
請求項１〜２のいずれかに記載のインテリジェント機能付き蓄発電システムまたは太陽電池蓄発電一体パネルを複数個着脱自在に組み込んだカセットからなる移動式組立型電源に、電力供給源として、風力発電または波力発電の自然エネルギー発電機または燃料セル電池発電機の環境適合型発電装置を搭載した、環境適合型の各種電力発電機との蓄発電一体装置ステーション。
【請求項４】
請求項１〜２のいずれかに記載のインテリジェント機能付き蓄発電システムまたは太陽電池蓄発電一体パネルを複数個着脱自在に組み込んだカセットからなる移動式組立型電源に、停電検知器を有する無停電電源装置を搭載した信号機無停電電源システム。
【考案の詳細な説明】
【技術分野】
【０００１】  本考案は、インテリジェント機能搭載蓄発電システム、太陽電池蓄発電一体パネルを複数個着脱自在に組み込んだカセットからなる移動式組立型電源、それを用いた各種電力発電機との蓄発電一体装置ステーションおよび信号機無停電電源システムに関する。
【背景技術】
【０００２】  軽量なアルミラミネート使用の小型サイズリチウムイオン二次電池セルの使用とセル組み合わせによる各種モジュールの製作技術および熱遮断層の配置に拠る蓄発電システムの保護技術とシステム制御技術は知られている（非特許文献１および非特許文献２）が、これらは軽量小型化ではない。
【先行技術文献】
【０００３】
【非特許文献１】太陽電池とリチウムイオン電池を一体化した薄型街路灯（パナソニック（株）社製「製品名ＥＶＥＲＬＥＤＳ」。
【考案が解決しようとする課題】
【０００４】  本考案は、防災または緊急災害時にとくに有用な携帯可能な小型軽量のインテリジェント機能付き蓄発電システムまたは太陽電池蓄発電一体パネルを複数個着脱自在に組み込んだカセットからなる移動式組立型電源、各種電力発電機との蓄発電一体装置ステーションおよび信号機無停電電源システムを得ることを目的とする。
【課題を解決するための手段】
【０００５】  上記目的は、リチウムイオン二次電池単独またはリチウムイオン二次電池とキャパシタコンデンサーや電気二重層コンデンサ、ニッケル水素蓄電池や鉛蓄電池などの汎用蓄電池などとの併用に拠る蓄電池ユニット（１）、充放電コントローラー（図中の符号２に内蔵または外付け）、定電流ダイオード（ＣＲＤ＝Ｃｕｒｒｅｎｔ  Ｒｅｇｕｌａｔｉｖｅ  Ｄｉｏｄｅ）（図中の符号２に内蔵または外付け）、露点変換器（ＤＰＳ＝Ｄｕｅ  Ｐｏｉｎｔ  Ｓｅｎｓｏｒ）（ＶＡＩＳＡＬＡ社製品など）、端子レギュレータ、フロート式流量計、パルス幅変調機（ＰＷＭ＝Ｐｕｌｓｅ  Ｗｉｄｔｈ  Ｍｏｄｕｌａｔｉｏｎ制御型出力コントローラー）、過充電過放電保護回路、内部温度上昇に拠るシステム破壊防止用温度ヒューズ、サーミスタおよび逆流防止ダイオードを搭載した充放電制御システムユニット（２）およびＤＣ−ＡＣ（Ｄｉｒｅｃｔ  ｃｕｒｒｅｎｔ−Ａｌｔｅｒｎａｔｅ  ｃｕｒｒｅｎｔ）インバータシステムからなる補助充放電制御システムユニット（３）を一体化した、充放電、蓄電および補助充放電の制御システム機能を併せ有するインテリジェント機能付き蓄発電システムまたは太陽電池蓄発電一体パネルを複数個着脱自在に組み込んだカセットからなる移動式組立型電源を提供することによって（請求項１）達成される。
【０００６】  ここで、蓄電池ユニット（１）とは主に過充放電制御が付与された蓄電機能を有するユニットであり、充放電制御システムユニット（２）とは充電と放電をシステムコントロールするユニットであり、また補助充放電制御システムユニット（３）とは充放電を補助的にシステムコントロールするユニットである。さらには（１）、（２）または（３）には、電圧、電流、電力などをコントロールし、デジタル表示する機能を付与することもできる。
【０００７】  また、内部温度上昇に拠るシステム破壊防止用温度ヒューズとしては、自己あるいはマニュアル復帰可能な温度ヒューズまたは復帰不能な取り換え型温度ヒューズが挙げられる。また、蓄電池ユニット（１）は、充放電制御システムユニット（２）および補助充放電制御システム（３）のそれぞれに電気的に結合している。
また、補助充放電制御システムユニット（３）のＤＣ−ＡＣインバータシステムとしては、ＤＣ−ＡＣ変換インバータなどが例示される。また、補助充放電制御システムユニット（３）には、小型軽量型高効率ＡＣ−ＤＣ（Ａｌｔｅｒｎａｔｅ  ｃｕｒｒｅｎｔ−Ｄｉｒｅｃｔ  ｃｕｒｒｅｎｔ）コンバータまたはこのＡＣ−ＤＣと小型軽量型ＤＣ−ＤＣ（Ｄｉｒｅｃｔ  ｃｕｒｒｅｎｔ−Ｄｉｒｅｃｔ  ｃｕｒｒｅｎｔ）コンバータの両者を内蔵または外付けにすることもできる。
【０００８】  さらにまた、充放電コントローラーは過充電や高放電の防止機能を有し、定電流ダイオード（ＣＲＤ＝Ｃｕｒｒｅｎｔ  Ｒｅｇｕｌａｔｉｖｅ  Ｄｉｏｄｅ）は充放電回路コントローラーや電力供給の切り替えスイッチをコントロールする機能を有し、露点変換器（ＤＰＳ＝Ｄｕｅ  Ｐｏｉｎｔ  Ｓｅｎｓｏｒ）は、温湿度センサーに拠る露点演算をコントロールする機能を有し、端子レギュレータは入出力電圧差を安定化させる機能を有し、フロート式流量計は流量測定と流量制御をする機能を有し、パルス幅変調機（ＰＷＭ＝Ｐｕｌｓｅ  Ｗｉｄｔｈ  Ｍｏｄｕｌａｔｉｏｎ制御型出力コントローラー）はコンバータからのデジタル値を目標設定されたパルス幅に変調していく機能を有し、出力コントローラーはシリアルやパラレルの入出力をコントロールする機能を有し、過充電過放電保護回路は充放電の一定領域を保ち過充電や過放電による電池への負荷が発生しないようにコントロールする機能を有し、内部温度上昇に拠るシステム破壊防止用温度ヒューズは内部温度が一定範囲を超えるとヒューズが切れる或いは分断することに拠って回路システムの破壊を防止する機能を有し、サーミスタはプログラム設定された範囲の温度範囲をコントロールする機能を有し、さらに逆流防止ダイオードは内蔵ＬＥＤなどが太陽発電していない夜間などに蓄電された電気を消費するなどを防ぐ為、プログラムされた範囲以外に電流が逆流することを防止する機能を有している。そして、これらは充放電制御システムユニット（２）に搭載（内蔵または外付け）されていて、それぞれ充放電制御に重要な役割を果たしている。またこれらを搭載することにより、本考案の目的とするインテリジェント機能付き蓄発電システムまたは太陽電池蓄発電一体パネルを得ることができる。
【０００９】  また、蓄発電システムまたは太陽電池蓄発電一体パネルを複数個着脱自在に組み込んだカセットからなる移動式組立型電源とは、たとえば図１に示すような前記システムまたはパネルを複数個、たとえば２〜３０個を着脱自在になるように組み込んだカセットからなるもので、それぞれのシステムまたはパネルは着脱治具によりシステムまたはパネルの入れ替えが迅速に行える構造になっている。
【００１０】  上記目的は、さらに人感センサー、照度センサー、振動センサー、温度湿度センサーおよびＬＥＤ照明システムから選ばれる少なくとも一種を搭載していることによって（請求項２）、さらに好適に達成される。
【００１１】  上記目的は、照明器具の取り付けポート、人感センサーによる照明動作コントローラー、照度検知に拠る点灯から消灯を管理する照度コントローラーを搭載し、さらに出力不足を補充する外部充電ポート、携帯電話ポート、パソコン電源のポート、電気ヒーター、電気防虫駆除器など一般的に家電機器として使用出来るポート、ＡＣ１００Ｖポート、ＡＣ２００Ｖ三相ポート、これらのＡＣポートに類似するＡＣ電圧ポート、２４０Ｖまで使用可能なＡＣ−ＤＣコンバータ外付けポート、各種直流電力供給源との接続が可能でＤＣ６０Ｖまで使用可能な外付けＤＣ−ＤＣコンバータポートのいづれかのポートから選ばれる少なくとも１種を搭載することによって、より好適に達成される。これらのポートをＵＳＢ取り付けポートにしても良い。
【００１２】  搭載されるＤＣ−ＡＣインバータは正弦波或いは疑似正弦波のいづれのインバータ機能をもつものでも差支えないが、正弦波の機能を有するものが好適である。
また、照明器具としては、特に消費電力が少なく、寿命が長いＬＥＤ（Ｌｉｇｈｔ  Ｅｍｉｔｔｉｎｇ  Ｄｉｏｄｅ）照明器具が好適である。
さらに、小型軽量ＤＣ−ＤＣコンバータとしては、自動車蓄電池などから電流を導入するＤＣ−ＤＣコンバータなどが挙げられ、自動車のシガーライター部に外付け可能なコネクタを使用して補助電源を取り入れることも好適である。
【００１３】  上記目的は、蓄電池ユニット（１）のリチウムイオン二次電池は、円筒缶、アルミ角缶、アルミラミネート単一セル、アルミラミネートセル組みモジュールおよびその組み合せモジュールからなる電池のいづれかであり、さらにリチウムイオン二次電池またはキャパシタコンデンサーは、充放電保護回路、温度ヒューズおよびサーミスタを有する、１０ｇ／Ｗ以下の軽量蓄電池であり、かつ前記蓄電池は、太陽電池パネル最大出力（Ｐｍ）５Ｗから５０Ｗの１枚パネルの表面積寸法が１１０ｃｍ２／Ｗ以下で、外枠厚みが５０ｍｍ以下の小型サイズ太陽電池パネル枠内に装備された、インテリジェント機能付き太陽電池蓄発電一体パネルを複数個着脱自在に組み込んだカセットからなる移動式組立型電源を提供することによってさらに好適に達成される。
ここで、１０ｇ／Ｗ以下の軽量蓄電池としては、たとえば１２Ｖ１２０Ｗ仕様で蓄電池重量９９０グラム以下の軽量蓄電池、１２Ｖ１８０Ｗ仕様で蓄電池重量１５９０グラム以下の軽量蓄電池などが挙げられる。また、１０ｇ／Ｗ以下の軽量蓄電池の下限値としては４．５ｇ／Ｗ以上が最適であり、さらに好適には６ｇ／Ｗ以上である。
また、１枚パネルの表面積寸法の下限値は７０ｃｍ２／Ｗ以上が最適であり、さらに好適には９０ｃｍ２／Ｗ以上である。
【００１４】  上記目的は、蓄発電システムの内外部からの熱上昇による、劣化や故障を防止するために、日照時での太陽電池パネル温度が高温になっても機器外周温度を５５℃以下に抑制する熱遮断塗料または熱溶融性樹脂封止シートからなる熱遮断層を太陽電池パネル裏面に設け、かつ温度センサー、５０℃以上の温度検知にて駆動する冷却ファンシステム、蓄電池ユニットの放電可能電圧と電流を管理する蓄電量比率および太陽電池が発電している電力量を管理する逐次デジタル表示のインディケータの少なくとも１種を搭載することによってより好適に達成される。
【００１５】  ここで劣化、故障とは、電源やＩＣ回路部品などの本発明に使用される部品の劣化、故障を意味する。
熱遮断層の熱遮断塗料としては、アクリルシリコン系塗料、アルコキシラン化合物系塗料、セラミック粉末塗料などが挙げられる。また熱可塑性樹脂封止シートとしては、ポリエチレン、ポリプロピレン、ポリスチレン、カルボン酸変性ＰＥ，カルボン酸変性ＰＰ、エチレン−酢酸ビニル共重合体（ＥＶＡ）、ポリフェニレンスルファイト（ＰＰＳ）、ポリテトラフロロエチレン｛テフロン（登録商標）；ＰＴＦＥ｝、その他耐熱性樹脂などからなるシートが挙げられ、不燃性イオン導電材（パイオトレック株式会社製“ＣＰカイザー”使用）を塗料に混合使用したり、シートに同イオン導電材を含浸不燃処理した発砲シートを使用することが好適である。
【００１６】  上記目的は、５〜５０Ｗ仕様パネル２枚を折りたたみ式に組み合わせる小型軽量型であり、かつ片面厚み５０ｍｍ以下の箱型であり、太陽電池パネル最大出力当りの重量が３００ｇ／Ｗ以下の持ち運びが容易な小型軽量キャリーバッグタイプであり、さらに取っ手および運搬中の開放を防止する止め具を取り付けることによって、より好適に達成される。
ここで、箱の片面厚みは、さらに好適には４０ｍｍ以下であり、最適には３５ｍｍ以下である。また、太陽電池パネル最大出力当りの重量は、さらに好適には２００ｇ／Ｗ以下であり、最適には１５０ｇ／Ｗ以下である。太陽電池パネル最大出力当りの重量の下限値は、５０ｇ／Ｗ以上が好適であり、さらに好適には８０ｇ／Ｗ以上である。たとえば、太陽電池パネルの縦横寸法４０ｍｍ以下の２枚組み１２Ｖ１２０Ｗの場合は、総重量が５ｋｇ以下が好適である。
【００１７】  上記目的は、取っ手および運搬中の開放を防止する止め具を取り付け、さらに太陽電池パネル２枚組み箱型を、取り外し可能な蝶番を使用して、太陽電池蓄発電一体パネルを１枚づつに取り外して使用する、インテリジェント機能付き小型軽量型太陽電池蓄発電一体パネルを複数個着脱自在に組み込まれたカセットからなる移動式組立型電源を提供することによってより好適に達成される。
【００１８】  上記目的は、前記した太陽電池蓄発電一体パネルを複数個着脱自在に組み込まれたカセットからなる移動式組立型電源に、人感センサー機能に拠るＬＥＤ照明器具、地震感知センサーに拠る警戒シグナル発信機、防犯災害時監視カメラ、ビデオ、ＧＰＳ、遠隔地通信ユニット、緊急警戒通報システム、３相動力モーターなどの駆動機の１５分以内の短時間駆動システムの少なくとも１種を搭載して所望の機能を付与し、さらにソーラーや風力発電を備えた既存街路灯または電柱緊急電源を取り付けてこれらの発電機能を強化し、さらにまた太陽電池、風力発電または波力発電の自然エネルギー発電機または燃料セル電池を取り付けて発電機能を強化した、発電―蓄電または補助充電―放電を制御コントロールする各種電力発電機との蓄発電一体装置ステーションを提供することによって、より好適に達成される。
【００１９】  上記目的は、前記した太陽電池蓄発電一体パネルを複数個着脱自在に組み込まれたカセットからなる移動式組立型電源に、人感センサー機能に拠るＬＥＤ照明器具、地震感知センサーに拠る警戒シグナル発信機、防犯災害時監視カメラ、ビデオ、ＧＰＳ（Ｇｌｏｂａｌ  Ｐｏｓｉｔｉｏｎｉｎｇ  Ｓｙｓｔｅｍ）、遠隔地通信ユニット、緊急警戒通報システム、３相動力モーターなどの駆動機の１５分以内の短時間駆動システムの少なくとも１種を搭載して所望の機能を付与し、さらにまたソーラーや風力発電を備えた既存街路灯または電柱緊急電源を取り付けてこれらの発電機能を強化し、さらにまた太陽射光が年間を通して最適な角度である仰角を保つために太陽電池蓄発電一体パネルの平面配置での仰角補正スタンドまたは電柱や高い処に取付け設置した場合には仰角補正遠隔治具を取りつけて太陽光発電の効率性を最適化し、かつ太陽電池、風力発電または波力発電の自然エネルギー発電機あるいは燃料セル電池を取り付けて発電機能を強化した、発電―蓄電・補助充電―放電を制御コントロールされた各種電力発電機との蓄発電一体装置ステーションを提供することによってより好適に達成される。
【００２０】  上記目的は、前記したインテリジェント機能付き蓄発電システムを複数個着脱自在に組み込まれたカセットからなる移動式組立型電源に、電力発電機として、既存発電機の蓄電ユニットを搭載した、環境適合型の各種電力発電機との蓄発電一体装置ステーションを提供することにより好適に達成される。蓄発電ユニットとして、鉛蓄電池と比較して同容量で重量２分の１以下の軽量で容積サイズが５０％以上削減可能な小型蓄発電ユニットを使用することにより、蓄電池の持ち運びや設置条件が制限される僻地または水害対策として設置される１５０ｃｍ以上の高さに設置することが可能となる。
【００２１】  ここで、既存発電機としては、ディーゼル発電機などが好適に使用される。
また、蓄電池の持ち運びや設置条件が制限される僻地としては、鉛蓄電池のような大型電池では設置出来ない場所が挙げられる。
【００２２】  上記目的は、請求項１〜７のいずれかに記載のインテリジェント機能付き蓄発電システムを複数個着脱自在に組み込まれたカセットからなる移動式組立型電源に、電力発電機として、太陽電池、風力発電または波力発電の自然エネルギー発電機または燃料セル電池の環境適合型発電装置を搭載した、環境適合型の各種電力発電機との蓄発電一体装置ステーションを提供することによってより好適に達成される。蓄発電ユニットとして、鉛蓄電池と比較して同容量で重量２分の１以下の軽量で容積サイズが５０％以上削減可能な小型蓄発電ユニットを使用することにより、蓄電池の持ち運びや設置条件が制限される僻地または水害対策として設置される１５０ｃｍ以上の高さに設置することが可能となる。
【００２３】  本考案においては、タッチパネル形式を含めたインテリジェントパネルを搭載し、現在の状況を確認し、また充電完了までの到達時間や完全放電までの予測時間を表示すること、また、完全防水性の蓄電ユニットに対応するため非接触充電ポートを使用し、充電ポートに置いておくだけで充電すること、さらに無線通信により蓄電量、充放電状態を監視すること、たとえば離れた場所から親機端末で蓄電池ユニットの動作状態を監視すること、さらにまた蓄電池ユニットの蓄電量をインターネットでワールドワイドに遠隔操作すること、たとえばボードコンピューターなどをホスト化することにより、インターネット経由にてはなれた場所から遠隔監視することも好適な態様である。
【００２４】  本考案によれば、防災または緊急災害時の停電時に、前記した充インテリジェント機能付き蓄発電システムまたは太陽電池蓄発電一体パネルからなる移動式組立型電源を搭載した信号機無停電電源システムとすることもできる。これに拠って、緊急災害時に信号機機能を保持し、交通事故の回避や歩行者の安全を確保することができる。
【考案の効果】
【００２５】    本考案によれば、蓄発電システムまたは太陽電池蓄発電一体パネルを複数個着脱自在に組み込んだカセットからなる移動式組立型電源を使用することにより、多数のシステムまたはパネルの移動を簡単に行うことができ、さらにシステムまたはパネルの入れ替えを迅速に行うことができ、また所望の数のシステムまたはパネルを容易に組み込むことができる。さらに防災または緊急災害時の停電時にとくに有用な携帯可能な小型軽量で、充放電、蓄電および補助充放電の制御システムを併せ有するインテリジェント機能付き蓄発電システムまたは太陽電池蓄発電一体パネルを複数個有するカセットからなる移動式組立型電源を得ることができる。また、これらと各種発電機とを組み合わせることにより、蓄発電一体ステーションを得ることができる。
【００２６】  これに拠って、ライフラインの通信機能維持や住民への警報、情報通知や交信、夜間照明を安全に確保することができる。また、充電されたステーションを、自由に持ち出し可能な折りたたみキャリーバッグ形式にすることに拠って、これらを既存街路灯やソーラー、風力街路灯に取付け、緊急対策電源として利用できる。また、ライフラインの通信機能を管轄する人や避難民が使用することにより、設置する場所を大幅に拡大することができる。さらに、電源がない場所においてノートパソコン、携帯電話、ゲーム機、デジタルカメラ、ビデオなどの家電製品の補充電源、屋外でのＬＥＤ照明、簡易な音楽や映画鑑賞、イルミネーションなどの娯楽、そして広告宣伝用装飾の電源としても活用出来る。さらに、軍事用移動通信機などへの小型軽量な補助電源としても活用できる。
【図面の簡単な説明】
【００２７】
【図１】本考案の蓄発電システムの平面図（折りたたみ式両面タイプの太陽電池パネル面）
【００２８】
【図２】図１の裏面図
【００２９】
【図３】図１の側面図（操作面と蝶番面と外部コネクトＬＥＤ照明）
【００３０】
【図４】図１の上面図
【００３１】
【図５】図１の底面図
【００３２】
【図６】図１に示す蓄発電システムを着脱自在に搭載したカセットからなる移動式組立型電源の前面図
【００３３】
【図７】図６の側面図
【００３４】
【図８】図１の使用例
【００３５】
【図９】図６の使用例
【００３６】
【図１０】図１のシステムを太陽光照射仰角手動型調整スタンドに使用した例（左右上下仰角調整台座）
【考案を実施するための形態】
【００３７】  本考案は、上記したとおり、蓄電池ユニット（１）、充放電制御システム（２）を一体化したシステム機能保有して、補助充放電制御システム機能を併せ有し、かつ軽量で小型化されたインテリジェント機能付き蓄発電システムまたは太陽電池蓄発電一体パネルを複数個着脱自在に組み込んだカセットからなる移動式組立型電源であることが特徴である。このような軽量で小型化するためには、蓄電池ユニット（１）を軽量で小型化することが最適である。蓄電池ユニットを軽量で小型化するためには、軽量でコンパクトな二次電池を搭載することが好適である。この二次電池は、軽量でコンパクトなリチウムイオン二次電池（ＬＩＢ＝Ｌｉｔｈｉｕｍ  Ｉｏｎ  Ｂａｔｔｅｒｙ）が最適であり、特に軽量で安全性の高いラミネートセル型過充放電防止回路および温度ヒューズ搭載ＬＩＢモジュール（パイオトレック株式会社製ＰｅｌＬｉｃｌｅ−ＬＩＢモジュールを使用）が最適である。
本考案を以下の実施形態に基づいて説明する。
【００３８】実施形態１（太陽電池蓄発電一体パネルのカセットからなる移動式組立型電源の形態）
本発明の太陽電池蓄発電一体パネルを、環境適合型発電装置と組合せて（両者の一体組み合わせ方式または分離型方式）ステーションとして使用する。蓄電池ユニット（１）としては  軽量でコンパクトな持ち運びが簡単なポータブル方式とする。これにより、１０Ｗ太陽電池モジュールを２個連結した蓄電池ユニット（１）とする。充放電制御システムユニット（２）とＤＣ−ＡＣコンバータを内部装備した補助充放電制御システム（３）には小型軽量化ＤＣ−ＤＣコンバータおよび小型軽量化ＡＣ−ＤＣコンバータを外付けしたポートを搭載し、１２Ｖ１２０Ｗ電源搭載した太陽電池蓄発電一体パネルキャリーバッグの総重量を５．５ｋｇ以内に軽量化することができ、５．０ｋｇ以下が好適で、４．５ｋｇ以下が最適である。これらのキャリーバッグを図６に示すカセットに着脱自在になるように組み込む。
【００３９】実施形態２（太陽電池蓄発電システムユニットのカセットからなる移動式組立型電源の形態）
本考案に使用の太陽電池蓄発電システムユニットに１モジュール以上の汎用太陽電池パネルをハーネスにて複数個結合し、蝶番等を取り付けて折りたたみ式として組み立て、図６に示すようなカセットに着脱自在になるように搭載する。さらに、組み立てた太陽電池蓄発電システムユニットの各モジュールパネルを個々に取り外し、太陽光照射の受け角度を補正することや太陽パネルの発電効率の欠点である陰がパネルに出来た場合に大幅な発電力急降下を起こすことへの対策として２枚パネルを太陽光照射の受け角度に変化を持たせる変角度スタンド治具を設置して、それぞれのモジュールパネルが太陽射光を一年間通して地域別季節別そして日照時間での太陽光を最も効率的に取り込む角度である仰角が維持出来るように平面或いは柱や壁などに治具を取り付けて設置する。また電柱や高い処に取付け設置した場合には遠隔角度補正治具を設置することにより、効率の良い発電条件を設定することもできる。この場合、太陽電池蓄発電システムユニットを結合しても良く、連結する太陽電池モジュール数に制限はない。
【００４０】実施形態３（異種の蓄電ユニットの複合化）
日照時間や太陽光強度不足による発電量が不足する場合には、家庭用電源１００から２４０Ｖ家庭用電源、鉛蓄電池、アルカリ蓄電池、Ｎｉ−Ｈ蓄電池等の既設蓄電池から、ＤＣ−ＡＣ転換して電流を取り込むか、または自動車鉛蓄電池などからＤＣ−ＤＣ電圧変換して電流を取り込む。さらに、太陽電池による発電力に依存するだけでなく、風力発電機、波力発電機、または燃料セル発電機などの自然エネルギー発電機との組み合わせにより発電量を確保することができる。とくにリチウムイオン蓄電池ユニットに鉛電池を併用することにより蓄電池ユニットへの充放電を安定させることができ、高電流特性を付与することができる、さらにはリチウムイオン蓄電池ユニットの長期間容量保存性を損なうことなく、軽量化もできる。この鉛電池などの既設蓄電池はカセットに組み込んでも良いし、外付けしてもよい。
【産業上の利用可能性】
【００４１】  本考案のインテリジェント蓄発電システム、太陽電池蓄発電一体パネルを組み込んだカセットからなる移動式組立型電源は、防災または緊急災害時にとくに有用であり、携帯電話などの通信機、パソコン、カメラなどの電源として利用でき、さらにまた夜間照明（人感センサーによる人がいる時に点灯）や湯沸かしや暖房ヒーターなどの熱源の電源などにも利用できる。また信号機の無停電電源装置としても利用できる。
【符号の説明】
【００４２】１    蓄電池ユニット（リチウムイオン二次電池・キャパシタ・コンデンサ組み）
２    充放電制御システムおよびプログラムマイコンユニットとデジタル電力発電量表示      液晶及びソーラー発電量表示液晶（切り替えスイッチ付）
３    ＤＣ−ＡＣインバータ
４    人感センサーとＬＥＤランプ
５    ＡＣ−ＤＣ・ＤＣ−ＤＣコンバータポート
６    外部照度センサー
７    ソーラーパネル結合ポート（アレイ構成ポート）
８    ＵＳＢポート
９    冷却ファン
１０  マイコンスイッチと稼働パイロットランプ
１１  太陽電池リード線口
１２  メインスイッチと稼働パイロットランプ
１３  人感センサー
１４  人感センサーＬＥＤランプ
１５  外付けＬＥＤ照明ポート
１６  取り付け型折りたたみ式仰角スタンド取り付け口
１７  折りたたみロック或いは、フック型ロック
１８  折りたたみ蝶番
１９  カバン型取っ手或いは、折り曲げ式取っ手
２０  蓄発電システム面の蓋
２１  太陽パネル裏面熱遮断層部（塗料塗り或シート貼り合わせ）
２２  外付けＬＥＤ器具（ランプ、イルミネーション、ＬＥＤ信号・誘導ボード、
警告ＬＥＤ表示ボード、ＬＥＤ広告ボードなどのＬＥＤ器具類）
２３  折り畳み式両面の連結コード
２４  ＡＣ電源ポート
２５  蓄発電一体型システムの連結ポート（出力・入力ポート）
２６  脱却型カセット形式からなる移動式組立型電源
２７  表示盤液晶
２８  太陽電池蓄電コントローラー
２９  通信機器、地震感知機器システム
３０  マルチ蓄電システム
３１  充電管理機器
３２  酸化鉛電池
３３  携帯型インテリジェント機能ソーラーエネルギー蓄電発電キャリーバッグ大サイズ
３４  携帯型インテリジェント機能ソーラーエネルギー蓄電発電キャリーバッグ中サイズ
３５  ２００Ｖ動力出力用インバータ
３６  ３３の引き出し型カセット器具
３７  ３４の引き出し型カセット器具
３８  ２６の底部滑車
３９  地震発生警報回転ランプ
４０  平面設置スタンド（太陽射光仰角四季表示付き：夏至、冬至、春秋分日仰角）
【図１】
0003195999.tif 000003
【図２】
0003195999.tif 000004
【図３】
0003195999.tif 000005
【図４】
0003195999.tif 000006
【図５】
0003195999.tif 000007
【図６】
0003195999.tif 000008
【図７】
0003195999.tif 000009
【図８】
0003195999.tif 000010
【図９】
0003195999.tif 000011
【図１０】
0003195999.tif 000012
【手続補正書】
【提出日】平成26年11月10日(2014.11.10)
【手続補正１】
【補正対象書類名】実用新案登録請求の範囲
【補正対象項目名】請求項１
【補正方法】変更
【補正の内容】
【請求項１】
リチウムイオン二次電池単独またはリチウムイオン二次電池とキャパシタコンデンサーや電気二重層コンデンサ、ニッケル水素蓄電池や鉛蓄電池やアルカリ蓄電池などの汎用蓄電池との併用に拠る蓄電池ユニット（１）、充放電コントローラー、定電流ダイオード（ＣＲＤ＝Ｃｕｒｒｅｎｔ  Ｒｅｇｕｌａｔｉｖｅ  Ｄｉｏｄｅ）、露点変換器（ＤＰＳ＝Ｄｕｅ  Ｐｏｉｎｔ  Ｓｅｎｓｏｒ）、端子レギュレータ、フロート式流量計、パルス幅変調機（ＰＷＭ＝Ｐｕｌｓｅ  Ｗｉｄｔｈ  Ｍｏｄｕｌａｔｉｏｎ制御型出力コントローラー）、過充電過放電保護回路、内部温度上昇に拠るシステム破壊防止用温度ヒューズ、サーミスタおよび逆流防止ダイオードを搭載した充放電制御システムユニット（２）およびＤＣ−ＡＣ（Ｄｉｒｅｃｔ  ｃｕｒｒｅｎｔ−Ａｌｔｅｒｎａｔｅ  ｃｕｒｒｅｎｔ）インバータシステムからなる補助充放電制御システムユニット（３）を一体化した、充放電、蓄電および補助充放電の制御システム機能を併せ有するインテリジェント機能付き蓄発電システムまたは太陽電池蓄発電一体パネルを複数個着脱自在に組み込んだカセットからなる移動式組立型電源。
【手続補正２】
【補正対象書類名】明細書
【補正対象項目名】００３５
【補正方法】変更
【補正の内容】
【００３５】
【図９】    図６に、小電力無線通信手段、たとえば、Ｗｉｆｉ、ＺｉｇＢｅｅ（登録商標）を搭載したカセットからなる移動式組立型電源ボックスの使用図